(57)【要約】【課題】可動体に実装された電気部品への配線が可動体の駆動機構に接触することのない演出装置を提供する。【解決手段】光源を備えかつ変位可能に支持された照明部（演出部）５１ａ〜５１ｅと、これら照明部５１ａ〜５１ｅを変位させる駆動機構部６１〜６５とを有する演出装置において、照明部５１ａ〜５１ｅへの配線６８が通る領域と駆動機構部６１〜６５との間に隔離壁７６を設けて、駆動機構部の歯車６２などに配線６８が接触することを防止する。【選択図】図５
2006218002.tif 000002
【特許請求の範囲】
【請求項１】
遊技関連装置に取り付ける演出装置であって、
電気部品を備えかつ変位可能に支持された演出部と、
前記演出部を変位させる駆動機構部と、
前記演出部への配線と前記駆動機構部とを隔離する隔離部材と
を有する
ことを特徴とする演出装置。
【請求項２】
遊技関連装置に取り付ける演出装置であって、
電気部品を備えかつ変位可能に支持された演出部と、
前記演出部を変位させるための駆動源と、
前記駆動源からの駆動力を伝達しかつ歯車を含む前段部とこの前段部から前記演出部へ駆動力を伝達しかつ歯車を含まない後段部とを備えた駆動機構部と、
前記前段部と前記演出部とを前記後段部の途中で隔離する隔離壁とを備え、
前記隔離壁より前記演出部側を通して前記演出部の電気部品へ配線した
ことを特徴とする演出装置。
【請求項３】
前記駆動機構部が取り付けられた取付板を有し、
前記取付板は、前記演出部を変位可能に軸支する支柱と、前記隔離壁と、前記支柱を挟んで前記隔離壁に対向させて配置した補強壁とを立設して有し、かつ前記支柱の側部を前記隔離壁と前記補強壁とにそれぞれ連結固定したものである
ことを特徴とする請求項２に記載の演出装置。
【請求項４】
前記補強壁は、その上端で前記隔離壁の反対側へ断面Ｌ字に屈曲している
ことを特徴とする請求項３に記載の演出装置。
【請求項５】
前記取付板は、前記補強壁と前記隔離壁との間に配線の挿通穴を有する
ことを特徴とする請求項３または４に記載の演出装置。
【請求項６】
前記補強壁に、前記挿通穴に通じるスリットを設けた
ことを特徴とする請求項３、４または５に記載の演出装置。
【請求項７】
前記スリットの途中に、他の部分より幅狭の箇所を設けた
ことを特徴とする請求項６に記載の演出装置。
【請求項８】
前記駆動機構部の後段部は、リンクである
ことを特徴とする請求項２、３、４、５、６または７に記載の演出装置。
【請求項９】
前記隔離壁の上を越えるように前記リンクを掛け渡した
ことを特徴とする請求項８に記載の演出装置。
【請求項１０】
前記隔離壁を、前記前段部の歯車の外周に沿って設けた
ことを特徴とする請求項２、３、４、５、６、７、８または９に記載の演出装置。
【請求項１１】
前記演出部に、配線の係止部を設けた
ことを特徴とする請求項１、２、３、４、５、６、７、８、９または１０に記載の演出装置。
【請求項１２】
前記演出部を複数有し、
共通の駆動源から複数の演出部に駆動力を伝達するようにした
ことを特徴とする請求項１、２、３、４、５、６、７、８、９、１０または１１に記載の演出装置。
【発明の詳細な説明】
【技術分野】
【０００１】
本発明は、遊技機や遊技機島などの遊技関連装置に取り付けられる演出装置に係わり、特に、電気部品を備えた演出装置における配線技術に関する。
【背景技術】
【０００２】
一般に、パチンコ機などの遊技機は、遊技機自体の装飾効果や遊技の演出効果を高めるための演出装置を備えている。このような演出装置には、人形や動物のキャラクタなどを模した可動体を変位させたり、ランプを点灯・点滅させたりするものがある。
【０００３】
たとえば、特許文献１には、可動体を複数設けると共に、これらの可動体に対応して発光体を配設し、複数の可動体の変位による演出と光による演出とを同時に行なうようにした演出装置が開示されている。この演出装置では、傘歯車などを用いた連動機構を介することによって共通の駆動源で複数の可動体を同期して変位させている。発光体については、可動体をその背後から照明する方法と、可動体自体に発光体を実装する方法とが示されている。また、連動機構は可動体の一端側にのみ設けてあり、可動体に実装した発光体への配線は連動機構のない他端側から行なっている。
【０００４】
【特許文献１】特開２００３−１２６３７６号公報
【発明の開示】
【発明が解決しようとする課題】
【０００５】
連動機構を採用し、共通の駆動源で複数の可動体を変位させることはコスト面で有利であるが、可動体自体に発光体などの電気部品を実装する場合には、それら電気部品への配線が連動機構の歯車などに接触したり挟み込まれたりして断線やショートしないようにしなければならない。特許文献１に開示された演出装置のように、電気部品（発光体）への配線を連動機構のない方向から行なう場合はよいが、構造やスペースなどの関係から連動機構のない方向から配線できない場合には、配線を保護するための何らかの特別な対策が必要になる。
【０００６】
たとえば、配線をクリップで止めたり、保護チューブの中を通したりする対策も考えられるが、配線がクリップから外れたり保護チューブ自体が挟み込まれたりすることもあり、充分な保護は得られない。また、クリップで止めたりすると配線作業そのものが煩雑になってしまう。
【０００７】
本発明は、上記の問題を解決しようとするものであり、可動体に実装された電気部品への配線が可動体の駆動機構に接触することのない演出装置を提供することを目的としている。
【課題を解決するための手段】
【０００８】
かかる目的は、以下に示す各項の発明により達成される。
【０００９】
請求項１に係わる発明は、遊技関連装置に取り付ける演出装置であって、
電気部品（９３）を備えかつ変位可能に支持された演出部（５１ａ〜５１ｅ）と、
前記演出部（５１ａ〜５１ｅ）を変位させる駆動機構部（５２）と、
前記演出部（５１ａ〜５１ｅ）への配線（６８）と前記駆動機構部（５２）とを隔離する隔離部材（７６）と
を有する
ことを特徴とする演出装置である。
【００１０】
上記発明によれば、演出部（５１ａ〜５１ｅ）への配線（６８）は隔離部材（７６）によって駆動機構部（５２）から隔離される。隔離部材（７６）は、配線（６８）の通る領域と駆動機構部（５２）の存在する領域とを仕切るものであればよい。また、配線（６８）の通る領域と駆動機構部（５２）の存在する領域との境界部分のみに設けてもよいし、駆動機構部（５２）全体を取り囲むように設けてもよい。
【００１１】
請求項２に係わる発明は、遊技関連装置に取り付ける演出装置であって、
電気部品（９３）を備えかつ変位可能に支持された演出部（５１ａ〜５１ｅ）と、
前記演出部（５１ａ〜５１ｅ）を変位させるための駆動源（５４）と、
前記駆動源（５４）からの駆動力を伝達しかつ歯車を含む前段部（６１、６２）とこの前段部（６１、６２）から前記演出部（５１ａ〜５１ｅ）へ駆動力を伝達しかつ歯車を含まない後段部（６５）とを備えた駆動機構部と、
前記前段部（６１、６２）と前記演出部（５１ａ〜５１ｅ）とを前記後段部（６５）の途中で隔離する隔離壁（７６）とを備え、
前記隔離壁（７６）より前記演出部（５１ａ〜５１ｅ）側を通して前記演出部（５１ａ〜５１ｅ）の電気部品（９３）へ配線（６８）した
ことを特徴とする演出装置である。
【００１２】
上記発明によれば、駆動機構部（５２）を、歯車を含む前段部（６１、６２）と歯車を含まない後段部（６５）とに分けて構成すると共に後段部（６５）の途中に隔離壁（７６）を設け、演出部（５１ａ〜５１ｅ）に実装された電気部品（９３）への配線（６８）をこの隔離壁（７６）より演出部（５１ａ〜５１ｅ）側を通して行なう。接触すると断線やショートの生じる可能性のある歯車が前段部（６１、６２）にのみ存在するので、後段部（６５）の途中に隔離壁（７６）を設けることで配線（６８）が歯車に接触することはない。「後段部（６５）の途中」には、前段部（６１、６２）と後段部（６５）との境界箇所を含めてもよい。
【００１３】
請求項３に係わる発明は、前記駆動機構部（５２）が取り付けられた取付板（７２）を有し、
前記取付板（７２）は、前記演出部（５１ａ〜５１ｅ）を変位可能に軸支する支柱（７１ａ〜７１ｅ）と、前記隔離壁（７６）と、前記支柱（７１ａ〜７１ｅ）を挟んで前記隔離壁（７６）に対向させて配置した補強壁（７３、７３ａ）とを立設して有し、かつ前記支柱（７１ａ〜７１ｅ）の側部を前記隔離壁（７６）と前記補強壁（７３、７３ａ）とにそれぞれ連結固定したものである
ことを特徴とする請求項２に記載の演出装置である。
【００１４】
上記発明によれば、演出部（５１ａ〜５１ｅ）を軸支する支柱（７１ａ〜７１ｅ）は、隔離壁（７６）と補強壁（７３、７３ａ）の双方に連結固定されて強固に支持される。連結固定は、たとえば、支柱（７１ａ〜７１ｅ）から隔離壁（７６）や補強壁（７３、７３ａ）に腕を伸ばして接続するとよい。取付板（７２）、隔離壁（７６）、補強壁（７３、７３ａ）、支柱（７１ａ〜７１ｅ）、連結用の腕などは一体成型が好ましい。
【００１５】
請求項４に係わる発明は、前記補強壁（７３、７３ａ）は、その上端で前記隔離壁（７６）の反対側へ断面Ｌ字に屈曲している
ことを特徴とする請求項３に記載の演出装置である。
【００１６】
上記発明によれば、上端でＬ字に屈曲させることでさらに強度が増す。上端で屈曲したＬ字の腕の部分は、たとえば、取付板（７２）自体を遊技関連装置本体などに螺子止めする箇所として利用できる。
【００１７】
請求項５に係わる発明は、前記取付板（７２）は、前記補強壁（７３、７３ａ）と前記隔離壁（７６）との間に配線（６８）の挿通穴（７９）を有する
ことを特徴とする請求項３または４に記載の演出装置である。
【００１８】
上記発明によれば、補強壁（７３、７３ａ）と前記隔離壁（７６）との間に設けた挿通穴（７９）は、隔離壁（７６）より演出部（５１ａ〜５１ｅ）側に存在しているので、この挿通穴（７９）を通じて配線（６８）を外に出せば、前段部（６１、６２）側を通ることなく配線（６８）は外部と接続される。
【００１９】
請求項６に係わる発明は、前記補強壁（７３、７３ａ）に、前記挿通穴（７９）に通じるスリット（８１）を設けた
ことを特徴とする請求項３、４または５に記載の演出装置である。
【００２０】
上記発明によれば、スリット（８１）を通じて配線（６８）を挿通穴（７９）に通すことが可能になる。スリット（８１）の幅は、配線（６８）がちょうど通る程度がよい。
【００２１】
請求項７に係わる発明は、前記スリット（８１）の途中に、他の部分より幅狭の箇所（８１ａ）を設けた
ことを特徴とする請求項６に記載の演出装置である。
【００２２】
上記発明によれば、幅狭箇所（８１ａ）は、配線（６８）がスリット（８１）から逆戻りして抜け出すことを防止する。幅狭箇所（８１ａ）の幅は配線（６８）がかろうじて通る程度がよい。好ましくは、挿入する方向は配線（６８）が入り易く（徐々に幅が狭くなり）、逆戻りはし難い（急激に幅狭になる）くさびのような形状にするとよい。
【００２３】
請求項８に係わる発明は、前記駆動機構部（５２）の後段部（６５）は、リンク（６５）である
ことを特徴とする請求項２、３、４、５、６または７に記載の演出装置である。
【００２４】
請求項９に係わる発明は、前記隔離壁（７６）の上を越えるように前記リンク（６５）を掛け渡した
ことを特徴とする請求項８に記載の演出装置である。
【００２５】
請求項１０に係わる発明は、前記隔離壁（７６）を、前記前段部（６２）の歯車の外周に沿って設けた
ことを特徴とする請求項２、３、４、５、６、７、８または９に記載の演出装置である。
【００２６】
請求項１１に係わる発明は、前記演出部（５１ａ〜５１ｅ）に、配線（６８）の係止部（６９）を設けた
ことを特徴とする請求項１、２、３、４、５、６、７、８、９または１０に記載の演出装置である。
【００２７】
上記発明によれば、配線（６８）は演出部（５１ａ〜５１ｅ）に設けたフックなどの係止部（６９）に係止される。
【００２８】
請求項１２に係わる発明は、前記演出部（５１ａ〜５１ｅ）を複数有し、
共通の駆動源（５４）から複数の演出部（５１ａ〜５１ｅ）に駆動力を伝達するようにした
ことを特徴とする請求項１、２、３、４、５、６、７、８、９、１０または１１に記載の演出装置である。
【発明の効果】
【００２９】
本発明に係わる演出装置によれば、駆動機構部に駆動されて変位する演出部に実装された電気部品への配線を、隔離部材を設けることで駆動機構部から隔離するようにしたので、配線が駆動機構部に接触せず、断線やショートの発生が防止される。また、隔離部材で隔離された領域に配線を通すだけで配線が駆動機構部との接触から保護されるので、配線をクリップで止めたりする必要がなくなり、配線作業が楽になる。
【００３０】
駆動源から演出部までの駆動機構部を、歯車を含む前段部と歯車を含まない後段部とに分けて構成すると共に後段部の途中に隔離壁を設け、演出部に実装された電気部品への配線をこの隔離壁より演出部側のみを通して行なうようにしたものでは、配線を損傷する可能性のある歯車が前段部のみに存在するので、後段部の途中に隔離壁を設けることで配線が歯車に接触したり挟まれたりしなくなり、断線やショートの発生が防止される。
【００３１】
演出部を軸支する支柱を隔離壁と補強壁の双方に連結固定したものでは、支柱を強固に支持することができ、演出部の揺れが防止されるので、演出部が安定した状態で変位する。また、支柱を介して隔離壁と補強壁とを連結固定したので取付板全体の強度も増す。
【００３２】
補強壁と前記隔離壁との間に配線の挿通穴を設けたものでは、この挿通穴を通じて配線を外部に容易に引き出すことができる。
【００３３】
挿通穴に通じるスリットを補強壁に設けたものでは、このスリットを通じて配線を挿通穴に通すことができるので、配線をその先端から挿通穴に通す必要がなく、配線作業が簡単になる。
【００３４】
また、スリットの途中に他の部分より幅狭の箇所を設けたものでは、配線がスリットから逆戻りして抜け出すことを防止できる。
【００３５】
駆動機構部の後段部をリンクで構成したものでは、前段部の歯車と異なり、リンクに配線が接触しても配線を損傷することは殆どない。
【００３６】
隔離壁の上を越えるようにリンクを掛け渡したものでは、隔離壁にスリットを設けてリンクを通すような場合に比べて、リンクの掛け渡し作業が楽になる。
【００３７】
歯車の外周に単なる円弧状の隔離壁を設けると、歯車と隔離壁の間に無駄なスペースが生じてしまうが、歯車の外周に沿って隔離壁を設けたものでは、歯車と隔離壁の間に無駄なスペースが生じてしまうことがないので、隔離壁を前段部の歯車の外周に沿って設けたものでは、隔離壁より演出部側の空間を広く取ることができ、配線の引き回しが容易になる。
【００３８】
演出部に配線の係止部を設けたものでは、演出部の動きによって配線が絡まったり思わぬ箇所に挟まれたりすることが防止される。
【００３９】
複数の演出部に共通の駆動源から駆動力を伝達するようにしたものでは、駆動源の数が減るのでコストの削減や省電力化に貢献する。
【発明を実施するための最良の形態】
【００４０】
以下、図面に基づき本発明の実施の形態を説明する。
【００４１】
図１は、本発明の実施の形態に係わる演出装置を備えた遊技機１０を示す正面図である。遊技機１０は、一般にパチンコ機と称される装置であり、遊技者の発射操作により球が打ち出されることで遊技が進行する遊技機本体１０ａと、これに付設され、有価価値カードの挿入により球を貸し出すカードユニット（ＣＲ球貸機）１０ｂとから構成されている。
【００４２】
遊技機本体１０ａは、遊技者の発射操作によって打ち出された球が移動しながら落下する遊技領域としての遊技盤１１を有している。遊技盤１１の下方には、貸出球や払出球を貯留する上受け皿１２が設置され、さらにその下方には上受け皿１２から溢れた球を貯留する下受け皿１３が設置されている。下受け皿１３の右横には、球の発射操作を行なうためのハンドル１４が設けてある。
【００４３】
遊技盤１１には、落下する球の流れに変化を与えるための釘（図示省略）、センターケース１５、始動口１６、大入賞口１７等が設けてある。センターケース１５の上部には、光装飾装置２０が設けてあり、センターケース１５の枠内には可変表示装置１８が配置してある。遊技盤１１の最下部には、いずれの入賞口にも入らず落下してきた球を機外に排出するためのアウト口１９が設置されている。
【００４４】
始動口１６は、一般に始動チャッカーと称されるものであり、始動口１６へ球が入賞することにより可変表示装置１８で実行される可変表示（可変表示遊技または特別図柄遊技とも称される）の実行権が確保される。
【００４５】
可変表示装置１８は、液晶ディスプレイなどの表示装置で構成される。可変表示装置１８には、ＣＲＴ表示器、ドラムユニット、ＬＥＤ、有機ＥＬディスプレイ等を採用することも可能である。
【００４６】
可変表示装置１８で実行される可変表示は、表示領域上で識別情報（図柄）がスクロール変動し、このスクロール変動が停止して最終的に確定表示された図柄の組み合わせ（表示結果）が、予め定めた特定の組み合わせ（特定表示態様）の場合に「当たり」になる表示遊技である。たとえば、「０」〜「９」の中の任意の数字を表わした図柄が３つの表示部で可変表示され、特定表示態様として、いわゆるスロットル遊技のように「７７７」など同一数字が揃う表示結果が確定すると当たりになる表示遊技を実行するようになっている。可変表示の表示結果が特定表示態様に確定すると、所定の遊技価値を遊技者に付与可能な特定遊技状態が発生する。
【００４７】
大入賞口１７は、特定遊技状態を生成するための入賞口であり、一般にアタッカーと称される。大入賞口１７は、ソレノイド等で駆動され、その入賞口が球の入賞しない閉状態と入賞容易な開状態とに変化するように構成されている。
【００４８】
可変表示装置１８で実行された可変表示の表示結果が特定表示態様に確定すると、大入賞口１７が所定回数開閉されて特定遊技状態が形成され、大当たり遊技が実行される。大入賞口１７は所定時間または所定入賞数を限度に開いて閉じる動作を行ない、その繰り返し動作を所定回数行なう。
【００４９】
図２は、センターケース１５の斜視図であり、図３は、センターケース１５のうち光装飾装置２０を構成する部分の分解斜視図である。センターケース１５は、可変表示装置１８を納める中空領域を囲むように構成された本体フレーム１５ａを有している。光装飾装置２０は、この本体フレーム１５ａの上辺部分に組み付けられている。センターケース１５の各部は樹脂で形成されている。
【００５０】
光装飾装置２０は、可動光演出装置２０ａと、この可動光演出装置２０ａの前面を覆う前面装飾装置２０ｂとから構成される。可動光演出装置２０ａは、本発明に係わる演出装置である。可動光演出装置２０ａは、上方に向けて照射する複数の光ビームの照射方向が様々に変化するように構成された演出装置である。図３に示すように、前面装飾装置２０ｂは、面発光する光装置であり、面発光部分となる光拡散板３１と、光拡散板３１の周囲を覆って装飾する前面カバー３２と、光拡散板３１の背後に配置される反射シート３３と、反射シート３３のさらに背後に配置される導光板３４ａと、光拡散板３１に向けて光を照射するためのＬＥＤ基板３５とから構成される。導光板３４ａは、枠部材３４の中に取り付けられている。
【００５１】
ＬＥＤ基板３５は、本体フレーム１５ａの上辺部分に一体成型された一対のガイド溝を成す基板保持部１５ｂに差し込まれて保持される。また、前面カバー３２、光拡散板３１、反射シート３３、枠部材３４（導光板３４ａ）は前面側からこの順に重なるように本体フレーム１５ａの上部に組み付けられる。反射シート３３は光拡散板３１と導光板３４ａとに挟持されて固定される。
【００５２】
図４は、可動光演出装置２０ａの正面図であり、図５は、可動光演出装置２０ａの斜視図である。可動光演出装置２０ａは、電気部品を備えかつ変位可能に支持される演出部としての照明部５１ａ〜５１ｅと、これら照明部５１ａ〜５１ｅを変位させる駆動機構部５２と、駆動機構部５２が取り付けられる取付板５３と、照明部５１ａ〜５１ｅを変位させるための駆動力を駆動機構部５２に与える駆動源５４（図３参照）と、複数の照明部５１ａ〜５１ｅを覆う透明カバー５５とから構成される。駆動源５４には電動モータを使用している。
【００５３】
照明部５１ａ〜５１ｅは、発光部が外側を向くようにして略円弧状に配列してあり、透明カバー５５はこれら照明部５１ａ〜５１ｅを発光部側から覆うように円弧状の屋根型を成している。駆動機構部５２は、照明部５１ａ〜５１ｅを揺動させてその位置や光の照射方向を変位させる。
【００５４】
より詳細には、駆動機構部５２は、駆動源５４の回転軸に取り付けられた駆動歯車６１の回転を伝達する複数の従動歯車６２と、これら従動歯車６２の回転運動を照明部５１ａ〜５１ｅの揺動動作に変換するリンク機構６３ａ〜６３ｅとから構成される。従動歯車６２は駆動機構部５２の前段部に含まれ、リンク機構６３ａ〜６３ｅの一部は駆動機構部５２の後段部を成している。
【００５５】
各リンク機構６３ａ〜６３ｅは、クランクレバー機構の４節リンクを成している。図５の左端のリンク機構６３ａを例に説明すれば、その第１節６４ａ（固定された節）は従動歯車６２ａの回転中心にあり、第２節６４ｂ（移動する節）は従動歯車６２ａ上の偏心した位置に設けられている。従動歯車６２ａは第１節６４ａと第２節６４ｂとの間を結ぶ第１リンクとしての役割を果たす。従動歯車６２ａには第２リンク６５ａの一端が軸支され、第２リンク６５ａの他端は第３リンク６５ｂの一端と第３節６４ｃ（移動する節）で連結されている。第３リンク６５ｂの途中に設けた第４節６４ｄ（固定された節）は取付板５３から延びる支柱７１の先端に設けてある。取付板５３は第４節６４ｄと第１節６４ａとをつなぐ固定された第４リンクとしての役割を果たす。第３リンク６５ｂは第４節６４ｄを越えて延びており、その先端に照明部５１ａが取り付けてある。
【００５６】
従動歯車６２が回転すると第３リンク６５ｂが第４節６４ｄを中心に揺動し、これに伴って第３リンク６５ｂの先端に固定された照明部５１ａが左右に揺動するようになっている。他の照明部５１ｂ〜５１ｅについても同様である。なお、従動歯車６２の歯数は、各照明部５１ａ〜５１ｅの揺動周期が相違するように設定してある。また、各照明部５１ａ〜５１ｅには、配線６８を引っ掛けて固定するための配線止めフック６９が形成されている。
【００５７】
図６は、可動光演出装置２０ａの一部を成す取付板５３を示している。取付板５３は、ベース板７２と断面Ｌ字状の取付縁部７３とを備えている。ベース板７２は、略扇型を成しその下部を直線状としたような形で、取付縁部７３は、ベース板７２の円弧側端部にベース板７２から垂直に立設した補強壁７３ａと、この補強壁７３ａの上端から直角に屈曲して外方へ延びる円弧状の縁部７３ｂとから構成される。縁部７３ｂの両端に設けた螺子穴８０ａを利用して可動光演出装置２０ａが光装飾装置２０に固定される。また、螺子穴８０ｂを利用して透明カバー５５が縁部７３ｂに固定される。
【００５８】
ベース板７２の略中央には、駆動源５４の回転軸に取り付けられた駆動歯車６１を裏側から表側に出すための穴部７４が形成され、その左右の各所に従動歯車６２を軸支するための支柱７５が立設されている。また、ベース板７２の円弧側端部よりやや内側にはこの円弧に沿って複数の支柱７１ａ〜７１ｅが立設されている。
【００５９】
また、従動歯車６２の外周縁（取付縁部７３側に臨む側）に沿って波打つような形状の隔離壁７６がベース板７２に立設されている。隔離壁７６は、左端の支柱７１ａから右端の支柱７１ｅまでの間に掛け渡されており、照明部５１ａ〜５１ｅ（演出部）への配線と駆動機構部５２とを隔離する隔離部材としての機能を果たす。各支柱７１は、隔離壁７６と補強壁７３ａとの間に挟まれるように立設されており、各支柱７１の側部は直にあるいは補強リブ７８を介して隔離壁７６と補強壁７３ａとにそれぞれ連結固定されている。
【００６０】
また、ベース板７２のうち補強壁７３ａと隔離壁７６とこれらに連結固定された支柱７１とで四方を囲まれた部分の数箇所には支柱７１への配線６８を通すための挿通穴７９が形成されている。また、取付縁部７３の縁部７３ｂおよび補強壁７３ａには各挿通穴７９へ通じるようにスリット８１が形成されている。スリット８１は、配線６８を挿通穴７９に通すために利用され、必要な配線６８がちょうど通るほどの幅を有している。スリット８１の途中には他の部分より幅狭の箇所を形成する抜け止め突起８１ａが形成されている。抜け止め突起８１ａの箇所では配線６８がかろうじて通る程度のスリット幅になっている。なお、取付板５３は、全体が樹脂で一体成型されている。
【００６１】
隔離壁７６は従動歯車６２より高く設定されている。取付縁部７３の各支柱７１はその先端が従動歯車６２よりさらに高くなるように設定されている。なお、図５に示すように、各照明部５１を揺動させるリンク機構６３は、従動歯車６２ａから第２節６４ｂおよび第３節６４ｃの箇所で一段ずつ高さを増すように連結されており、第２リンク６５ａおよび第３リンク６５ｂは隔離壁７６の上を越えるように掛け渡されている。第３リンク６５ｂおよび第２リンク６５ａの第３節６４ｃ近傍部分は、駆動機構部５２における、歯車を含まない後段部を成している。
【００６２】
図５、図６に示すように、隣り合う照明部５１ａと５１ｂおよび照明部５１ｄと５１ｅとは互いの隣接する側部から配線６８を引き出すようになっており、それらの隣接する照明部同士の間に挿通穴７９およびスリット８１を設けて配線の引き回しに共通利用するようになっている。これにより、挿通穴７９やスリット８１を設ける箇所が減り、取付板５３としての強度低下を少なく抑えている。また、１つの挿通穴７９を余裕のある大きさにしたので、照明部５１の揺動に応じて配線６８が自由に屈伸するための空間を得ることができ、配線６８の損傷が防止される。
【００６３】
また、配線６８は隔離壁７６の存在により従動歯車６２に接触したり挟み込まれたりすることがなく、それらによる配線６８の断線やショートが防止される。
【００６４】
また、スリット８１を設けたので、配線６８をその先端から挿通穴７９に通す必要がなく、配線６８の途中部分をスリット８１から挿通穴７９に通せばよいので、配線の引き回し作業が楽になる。さらに抜け止め突起８１ａの存在により、使用中に配線６８がスリット８１を逆に辿って抜けてしまうことがない。さらに、各照明部５１ａから５１ｅに配線止めフック６９を設けてこれに配線６８を引っ掛けるようにしたので、配線６８が照明部５１ａ〜５１ｅと取付縁部７３の縁部７３ｂとの間に挟まれることや配線６８の絡まりが防止される。
【００６５】
また、取付板５３は一体成型により全体の強度が高まるように作成されている。さらに、支柱７１を隔離壁７６と補強壁７３ａとに連結固定したので、支柱７１がしっかりと直立し、各照明部５１ａ〜５１ｅがぶれずに安定した動きになる。
【００６６】
図７は照明部５１の外観を、図８は照明部５１の中央縦断面を示している。照明部５１は、リンク機構６３の第３リンク６５ｂと一体に成型された本体ケース９１と、回路基板９２と、回路基板９２に取り付けられた光源部９３（図８参照）およびコネクタ９４と、集光手段としてのレンズ部９５とから構成される。
【００６７】
第３リンク６５ｂには、リンク機構６３の第３節６４ｃを成す突起と第４節６４ｄとなる支柱７１が挿入される穴部とが形成されている。光源部９３にはＬＥＤ（発光ダイオード）を使用している。光源部９３に給電する配線６８はコネクタ９４に接続される。レンズ部９５は、本体ケース９１に形成された開口部９１ａに嵌め込まれ、本体ケース９１に内蔵された光源部９３が発する光を集光して平行なビーム状の光として外部へ出力する機能を果たす。
【００６８】
次に光装飾装置２０の動作を説明する。
【００６９】
図９は、光装飾装置２０の発光状態の一例を示している。光装飾装置２０の可動光演出装置２０ａが有する各照明部５１ａ〜５１ｅは、スポットライトのように光ビーム２２ａ〜２２ｅを出力する。これらの光ビーム２２ａ〜２２ｅは遊技盤１１と略平行であり、遊技盤１１を背景にすることで遊技者にはっきりと視認される。駆動源５４を作動させると照明部５１ａ〜５１ｅは異なる周期で揺動する。これにより光ビーム２２ａ〜２２ｅの照射方向が図中の矢印Ａで示すように円弧状に変動し、光ビーム２２ａ〜２２ｅが互いに交差したり、平行になったり、近づいたり、離れたりするので、装飾性に優れた派手やかな光の演出が行なわれる。特に、光をレンズ部９５でビーム状に集光して出射するので、光が交差したり平行になったりする様子を明瞭に認識でき、高い装飾効果が発揮される。
【００７０】
このように照明部５１ａ〜５１ｅが揺動しても、図５に示すように各照明部５１ａ〜５１ｅへの配線６８は、隔離壁７６の存在により駆動機構部５２の従動歯車６２や駆動歯車６１と接触することがなく、断線やショートが防止される。
【００７１】
なお、可動光演出装置２０ａの内部構造はその手前に配置した前面装飾装置２０ｂによって覆い隠されるので見栄えがよい。さらに前面装飾装置２０ｂを点灯させることで、単に可動光演出装置２０ａを覆い隠すだけでなく、光装飾装置２０の正面側でも光による装飾効果を得ることができる。すなわち、可動光演出装置２０ａによる上方（光装飾装置２０の側方）への光と前面装飾装置２０ｂや装飾板３６からの前方（遊技者側）への光により、多様で優れた装飾効果が生み出される。
【００７２】
以上、本発明の実施の形態を図面によって説明してきたが、具体的な構成は実施の形態に示したものに限られるものではなく、本発明の要旨を逸脱しない範囲における変更や追加があっても本発明に含まれる。
【００７３】
たとえば、隔離壁７６の高さを従動歯車６２より高くしたが、配線６８と従動歯車６２との接触を防止できれば、例示したものより低くてもよい。また、接触防止機能を果たせば、壁状でなくてもよい。たとえば、要所に立設した杭や突起、接触防止用のバーやロープを掛け渡したものなどでもよい。また隔離壁７６は、配線と駆動機構部５２（特にその歯車部分）との接触を防止可能な範囲に設けてあればよい。たとえば、支柱７１ｂと支柱７１ｃとの間には配線６８が通らないので、この部分の隔離壁７６を省略してもよい。
【００７４】
実施の形態では、隣接する照明部同士で挿通穴７９およびスリット８１を共通利用するようにしたが、照明部５１ａ〜５１ｅ毎に挿通穴７９およびスリット８１を設けてもよい。このようにすると、配線にトラブルが生じた場合の取り外しや取り替えが容易になる。
【００７５】
また実施の形態では、隔離壁７６を従動歯車６２の外周縁（取付縁部７３側に臨む側）に沿って波打つような形状にすることで、隔離壁７６の設置に関する省スペース化を図ったが、従動歯車６２との接触を防止可能であれば、他の形状でも、たとえば、取付縁部７３に沿って単なる円弧状に設置してもよい。
【００７６】
なお、断面Ｌ字状の取付縁部７３を採用することで、円弧状の縁部７３ｂの裏側に他の装置（たとえば、球の補給タンク）の配置スペースを確保したが、スペース確保の必要がなければ、縁部７３ｂをより厚みのある形状にしてもよい。
【００７７】
また、可動光演出装置２０ａや前面装飾装置２０ｂを、センターケース１５の上部に設けたが、センターケース１５の左側または／および右側、あるいはセンターケース１５の周囲に設けてもよい。また、可動光演出装置２０ａや前面装飾装置２０ｂを可変表示装置１８の横や下、遊技領域の右側や左側、遊技領域外など他の箇所に設置してもよい。また、可動光演出装置２０ａにより遊技領域を照らすようにしたが、可変表示装置１８を照らしてもよい。また、可動光演出装置２０ａが光を照射する向きは、上向き、横向き、下向きなどその設置場所などに応じて適宜に設定すればよい。
【００７８】
実施の形態では、演出部の光源に配線したが、演出部への配線は、他の種類の電気部品に対するものでもよい。たとえば、演出部の中にさらに電動の可動部を設け、この可動部が有するモータやソレノイドなどへの配線でもよい。電動の可動部には、たとえば、何らかのキャラクタが手を挙げたり、笑ったりする動作をするようなものがある。
【００７９】
実施の形態では、本発明に係わる演出装置を遊技機１０の可動光演出装置２０ａに適用したものを例示したが、スロットマシン、球計数器など個々の装置のほか、遊技機島や遊技店の壁に設置するものなど他の種類の遊技関連装置に適用してもよい。
【００８０】
遊技機島は、複数の遊技機が配設された遊技機島でも、遊技機が１台設置される単体島でもよい。またスロットマシンの島でもよい。遊技機島においては、可動光演出装置２０ａを幕板、島端などに設置するとよい。たとえば、遊技機の遊技状態を知らせるための代表ランプとして機能するように遊技機島の島端上部に設置したり、大当りやリーチ等が発生したことを他の遊技客に向けてアピールするための演出用装飾ランプとして機能するように遊技機毎に対応させて遊技機島の上部に設置したりするとよい。
【図面の簡単な説明】
【００８１】
【図１】本発明の実施の形態に係わる遊技機を示す正面図である。
【図２】本発明の実施の形態に係わる遊技機のセンターケースを示す斜視図である。
【図３】センターケースのうち光装飾装置を構成する部分の分解斜視図である。
【図４】可動光演出装置の正面図である。
【図５】可動光演出装置の斜視図である。
【図６】可動光演出装置を構成している取付板を示す斜視図である。
【図７】可動光演出装置の照明部の外観を示す斜視図である。
【図８】照明部の断面図である。
【図９】光装飾装置の発光状態の一例を示す説明図である。
【符号の説明】
【００８２】
１０…遊技機
１０ａ…遊技機本体
１０ｂ…カードユニット
１１…遊技盤
１２…上受け皿
１３…下受け皿
１４…ハンドル
１５…センターケース
１５ａ…本体フレーム
１５ｂ…基板保持部
１６…始動口
１７…大入賞口
１８…可変表示装置
１９…アウト口
２０…光装飾装置
２０ａ…可動光演出装置
２０ｂ…前面装飾装置
２２ａ〜２２ｅ…光ビーム
３１…光拡散板
３１ａ…突起部
３１ｂ…カット
３２…前面カバー
３２ａ…目隠し部
３３…反射シート
３４…枠部材
３４ａ…導光板
３５…ＬＥＤ基板
３５ａ…光源部
３６…装飾板
５１…照明部
５２…駆動機構部
５３…取付板
５４…駆動源
５５…透明カバー
６１…駆動歯車
６２…従動歯車
６３…リンク機構
６４ａ…第１節
６４ｂ…第２節
６４ｃ…第３節
６４ｄ…第４節
６５ａ…第２リンク
６５ｂ…第３リンク
６８…配線
６９…配線止めフック
７１…支柱
７２…ベース板
７３…取付縁部
７３ａ…補強壁
７３ｂ…縁部
７４…穴部
７５…支柱
７６…隔離壁
７８…補強リブ
７９…挿通穴
８０ａ、８０ｂ…螺子穴
８１…スリット
８１ａ…抜け止め突起
９１…本体ケース
９１ａ…開口部
９２…回路基板
９３…光源部
９４…コネクタ
９５…レンズ部
【図１】
2006218002.tif 000003
【図２】
2006218002.tif 000004
【図３】
2006218002.tif 000005
【図４】
2006218002.tif 000006
【図５】
2006218002.tif 000007
【図６】
2006218002.tif 000008
【図７】
2006218002.tif 000009
【図８】
2006218002.tif 000010
【図９】
2006218002.tif 000011